(57)【要約】【課題】デザイン作成、校正等を迅速かつ確実に行なうことが可能である。【解決手段】ネットワークに接続され、デザイン注文を行なうユーザ端末と、ネットワークに接続され、デザイン注文の受付管理を行なう受発注サーバと、ネットワークに接続され、デザイン注文に基づきデザイン作成作業の発注を行なう受発注管理者端末と、ネットワークに接続され、デザイン作成作業の発注に基づきデザイン作成を行なう作業者端末と、作成されたデザインを校正する校正者端末と、を有するデザイン受発注システムであり、受発注サーバに、ユーザ端末、受発注管理者端末、作業者端末、校正者端末のいずれからもアクセス可能な共通画面を有する。【選択図】図２２
2006338060.tif 000002
【特許請求の範囲】
【請求項１】
ネットワークに接続され、デザイン注文を行なうユーザ端末と、
前記ネットワークに接続され、前記デザイン注文の受付管理を行なう受発注サーバと、
前記ネットワークに接続され、前記デザイン注文に基づきデザイン作成作業の発注を行なう受発注管理者端末と、
前記ネットワークに接続され、前記デザイン作成作業の発注に基づきデザイン作成を行なう作業者端末と、
前記作成されたデザインを校正する校正者端末と、
を有するデザイン受発注システムであり、
前記受発注サーバに、前記ユーザ端末、前記受発注管理者端末、前記作業者端末、または前記校正者端末のいずれからもアクセス可能な共通画面を有することを特徴とするデザイン受発注システム。
【請求項２】
前記校正者端末または前記作業者端末の少なくとも一方は、前記受発注管理者端末で構成されることを特徴とする請求項１に記載のデザイン受発注システム。
【請求項３】
前記共通画面は、少なくともデザイン注文情報と、ユーザと受発注管理者との伝達情報とを有することを特徴とする請求項１または請求項２に記載のデザイン受発注システム。
【請求項４】
前記共通画面は、前記ユーザ端末に表示されないで前記受発注管理者端末及び前記作業者端末に限定して表示される伝達情報を有することを特徴とする請求項１または請求項２に記載のデザイン受発注システム。
【請求項５】
前記共通画面は、作成された完成デザインを表示するアップロード画面を有することを特徴とする請求項１乃至請求項４のいずれか１項に記載のデザイン受発注システム。
【請求項６】
前記共通画面は、作成されたデザインに対する修正履歴情報を有することを特徴とする請求項１乃至請求項５のいずれか１項に記載のデザイン受発注システム。
【発明の詳細な説明】
【技術分野】
【０００１】
この発明は、例えば写真画像を入れたポストカード等のデザインを作成するサービスをインターネットなどのネットワークを介してユーザ（顧客）に提供するデザイン受発注システムに関する。
【背景技術】
【０００２】
近年、ユーザ（顧客）は、結婚後の挨拶や年賀の挨拶等を写真画像を入れたポストカードで行なうことが多くなってきている。また、写真画像入りの名刺なども多くなっている。この写真画像入りのポストカードや名刺等の作成注文を、インターネットなど介して行なうネットワークビジネスが提案されている（例えば特許文献１，２）。
【０００３】
この場合、ポストカードの注文時に、ユーザ（顧客）はポストカードのデザインを例えば規定のレイアウトを選択し、あるいは独自の写真画像の位置や文字情報位置等のレイアウトを決める。文字情報としては、例えば住所、氏名、挨拶文等の文字情報を入力する。
【０００４】
このようなユーザ（顧客）からのデザイン注文に基づき、画像プリントサービスを行う出力センター等では、デザイナー等の作業者にデザイン作成作業の発注を行ない、デザイン作成作業が終了すると、ユーザ（顧客）からのデザイン注文と確認してプリントアウトしてユーザ（顧客）へ送るようになっている。
【特許文献１】特開２００１−３４４３１３号公報
【特許文献２】特開２００３−８８７２号公報
【発明の開示】
【発明が解決しようとする課題】
【０００５】
ところで、画像プリントサービスを行う出力センター等では、デザイン注文をデザイナー等の作業者に振り分けて発注しているが、ユーザからアップロードされる写真画像が不鮮明で使用できない場合、あるいはユーザからの要望通りにデザインできない場合がある。また、ユーザがデザイン作業の進捗状況を知りたい場合があり、このような場合にはユーザと受発注管理者との間で連絡できるようにした方がよい。
【０００６】
一方、デザイン注文の受付管理を行ない、デザイン作成作業の発注を行なう受発注管理者とデザイン作成を行なう作業者端末との間でデザイン作業、日程等に関する連絡等がある。また、受発注管理者とは別の校正者が作成されたデザインを校正する場合にも校正事項等の連絡があり、受発注管理者や校正者との間でも作成されたデザインを校正する場合にも修正事項の連絡がある。
【０００７】
このようにユーザ、受発注管理者、作業者及び校正者は、デザイン作成に関する連絡があるが、電話等では不在の場合には連絡がつかないことがある。また、電話やファクシミリでは、例えば写真画像のどこが、どのように不鮮明であるか、あるいは作成されたデザインの修正箇所等を正確に伝えることができなかった。
【０００８】
この発明は、このような課題に鑑みてなされたのものであって、デザイン作成、校正等を迅速かつ確実に行なうことが可能なデザイン受発注システムを提供することを目的としている。
【課題を解決するための手段】
【０００９】
前記課題を解決し、かつ目的を達成するために、この発明は、以下のように構成した。
【００１０】
請求項１に記載の発明は、ネットワークに接続され、デザイン注文を行なうユーザ端末と、
前記ネットワークに接続され、前記デザイン注文の受付管理を行なう受発注サーバと、
前記ネットワークに接続され、前記デザイン注文に基づきデザイン作成作業の発注を行なう受発注管理者端末と、
前記ネットワークに接続され、前記デザイン作成作業の発注に基づきデザイン作成を行なう作業者端末と、
前記作成されたデザインを校正する校正者端末と、
を有するデザイン受発注システムであり、
前記受発注サーバに、前記ユーザ端末、前記受発注管理者端末、前記作業者端末、または前記校正者端末のいずれからもアクセス可能な共通画面を有することを特徴とするデザイン受発注システムである。
【００１１】
請求項２に記載の発明は、前記校正者端末または前記作業者端末の少なくとも一方は、前記受発注管理者端末で構成されることを特徴とする請求項１に記載のデザイン受発注システムである。
【００１２】
請求項３に記載の発明は、前記共通画面は、少なくともデザイン注文情報と、ユーザと受発注管理者との伝達情報とを有することを特徴とする請求項１または請求項２に記載のデザイン受発注システムである。
【００１３】
請求項４に記載の発明は、前記共通画面は、前記ユーザ端末に表示されないで前記受発注管理者端末及び前記作業者端末に限定して表示される伝達情報を有することを特徴とする請求項１または請求項２に記載のデザイン受発注システムである。
【００１４】
請求項５に記載の発明は、前記共通画面は、作成された完成デザインを表示するアップロード画面を有することを特徴とする請求項１乃至請求項４のいずれか１項に記載のデザイン受発注システムである。
【００１５】
請求項６に記載の発明は、前記共通画面は、作成されたデザインに対する修正履歴情報を有することを特徴とする請求項１乃至請求項５のいずれか１項に記載のデザイン受発注システムである。
【発明の効果】
【００１６】
前記構成により、この発明は、以下のような効果を有する。
【００１７】
請求項１に記載の発明では、受発注サーバに、ユーザ端末、受発注管理者端末、作業者端末、または校正者端末のいずれからもアクセス可能な共通画面を有することで、ユーザ、受発注管理者、作業者、校正者が、場所や時間にかかわらず変化していく情報を受発注サーバ上の共通画面で情報の共有化を計ることができ、デザイン作成、校正等を迅速かつ確実に行なうことができる。
【００１８】
請求項２に記載の発明では、前記校正者端末または前記作業者端末の少なくとも一方は、受発注管理者端末で構成されることで、受発注管理者が校正者としての作業を行なうことができる。
【００１９】
請求項３に記載の発明では、共通画面は、少なくともデザイン注文情報と、ユーザと受発注管理者との伝達情報とを有し、場所や時間にかかわらず変化していく情報を何時でも正確に伝えることで、デザイン作成、校正等を迅速かつ確実に行なうことができる。
【００２０】
請求項４に記載の発明では、共通画面は、ユーザ端末に表示されないで受発注管理者端末及び作業者端末に限定して表示される伝達情報を有し、ユーザには不要な情報を与えないで、デザイン作成、校正等を迅速かつ確実に行なうことが可能である。
【００２１】
請求項５に記載の発明では、共通画面は、作成された完成デザインを表示することで、デザインの校正等を迅速かつ確実に行なうことが可能である。
【００２２】
請求項６に記載の発明では、共通画面は、作成されたデザインに対する修正履歴情報を有し、デザイン作成、校正等を無駄なく迅速かつ確実に行なうことが可能である。
【発明を実施するための最良の形態】
【００２３】
以下、この発明のデザイン受発注システムの実施の形態について説明するが、この発明は、この実施の形態に限定されない。また、この発明の実施の形態は、発明の最も好ましい形態を示すものであり、この発明の用語はこれに限定されない。
【００２４】
図１はデザイン受発注システムを示す図である。図１において、ネットワーク１に、受発注サーバ２、ユーザ端末３、作業者端末４、受発注管理者端末５が接続され、それぞれネットワーク１を介して通信可能となっている。
【００２５】
ネットワーク１は、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００２６】
受発注サーバ２は、ネットワーク１を介し、デザイン注文の受付、デザイン注文に基づきデザイン作成作業の発注及び受発注管理を行なうと共に、デザインに用いる画像閲覧、画像保管、顧客情報管理など、ネットワーク画像サービスを提供可能な機能を有する。
【００２７】
ユーザ端末３は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。デジタルカメラを備える携帯電話では、デジタルカメラの撮像で画像の取り込みを行なうことができ、デジタルカメラを備えない携帯電話では、他の電子機器からの通信により画像を受信して画像の取り込みを行なうことができる。
【００２８】
このユーザ端末３では、デザイン決定情報を入力し、デザインに用いる画像を配信してデザイン注文情報の入力とプリント注文情報の入力を連続して行なう。このデザイン注文及びプリント注文を、図２乃至図２１に示す。
【００２９】
受発注管理者端末５は、例えばラボ等に配置され、受発注サーバ２を介してプリント注文の受付、プリント作成作業の管理などを行うことができ、プリンタ等出力装置と接続され、ユーザ端末３にて入力されたプリント注文情報に基づきプリントすることができる。
【００３０】
作業者端末４は受発注サーバ２を介してデザイン注文の受付を行い、画像編集画面上で、デザイン注文情報に基づきデザイン作成作業を行うものであり、画像の切り抜き、色情報の補正、文字情報の入力、レイアウト、不要物の削除などの作業を行うことができる。また、作成されたデザインは作業者端末４から受発注サーバ２へ送信することができる。
【００３１】
この実施の形態では、デザイン注文情報の入力では、予め記憶された少なくとも入力情報によって変更されるテンプレート情報を有するデザインテンプレートを選択する。デザインテンプレートは、受発注サーバ２に予めカテゴリ（結婚、誕生、転居）毎に用意されている。ユーザ端末３のキーボード等の情報入力手段３ａによりデザインテンプレートに表示される情報を入力し、受発注サーバ２の情報加工手段２ａが入力情報をテンプレート情報に応じて加工し、デザイン注文を行なう。
【００３２】
情報加工手段２ａは、入力された言語を他の言語に変換する加工を行なう。例えばユーザが日本語で入力を行うと英語に間違いなく変換することができ、作業性も向上する。また、入力された情報から関連する情報に変換する加工を行なう。例えばユーザの生年月日を入力すると、星座や年齢や干支等に間違いなく変換することができ、作業性も向上する。
【００３３】
次に、ユーザ端末３を用いて行なうデザイン注文のフローと、デザイン確認及びプリント注文のフローを図２に示し、この注文を行なうユーザ端末３の画面を図３乃至図２１に示す。
【００３４】
まず、デザイン注文のフローを図２（ａ）に示す。
［ステップａ１］
まず、デザイン注文時には、年賀、結婚、誕生、転居等からカテゴリの選択を行なう。図３は年賀のカテゴリを選択したデザイン選択画面２０を示す。このように年賀、結婚、誕生、転居等のカテゴリ毎に予め複数のデザインテンプレート２０ａが用意されている。
［ステップａ２］
図３の年賀のカテゴリを選択したデザイン選択画面２０には、複数のデザインテンプレートが表示されており、この複数のデザインテンプレートの内からいずれか希望するデザインテンプレート２０ａを選択する。この選択されたデザインテンプレート２０ａを図４に示し、デザインテンプレート２０ａは、入力情報によって変更されるテンプレート情報２０ａ１〜２０ａ５と画像２０ａ６とを有する。テンプレート情報２０ａ１は、星座、テンプレート情報２０ａ２は、赤ちゃんの身長、テンプレート情報２０ａ３は、赤ちゃんの体重、テンプレート情報２０ａ４は、赤ちゃんの名前（ローマ字）、テンプレート情報２０ａ５は、赤ちゃんの誕生日であり、それぞれ英語でデザインされる。
［ステップａ３］
図５の注文情報入力画面２１において、選択されたデザインテンプレートに入れるデザイン注文情報を入力する。デザイン注文情報は、カラー２１ａ、タイトルフォント２１ｂ、オリジナルコメント２１ｃ、デザイン面に記載する個人情報２１ｄである。デザイン面に記載する個人情報２１ｄには、差出人情報２１ｄ１、その他の情報２１ｄ２、必須項目２１ｄ３がある。必須項目２１ｄ３には、赤ちゃんの名前（ローマ字）、赤ちゃんの身長、赤ちゃんの体重、星座、赤ちゃんの誕生日があり、これらは日本語で入力される。
【００３５】
星座の入力は、図６（ａ）に示すように、星座をクリックすると星座の一覧が表示され、生まれた日を選択すると該当する星座が入力される。また、赤ちゃんの誕生日の入力は、図６（ｂ）に示すように、誕生日の生年月日をクリックして表示し、該当する生年月日を選択して入力する。  
【００３６】
必須項目２１ｄ３の日本語入力した赤ちゃんの名前（ローマ字）、赤ちゃんの身長、赤ちゃんの体重、星座、赤ちゃんの誕生日がデザインテンプレートのデザイン面の英語に変換される。
［ステップａ４］
図７の画像のアップロード画面２２において、選択されたデザインテンプレートの画像２０ａ６に入力される画像２２ａをアップロードする。この画像２２ａのアップロードは、所定のファイル形式で行ない、アップロードしない場合、写真郵送で申し込みを行なうこともできる。なお、図７中の画像指定枠は、選択されたデザインテンプレートに必要な画像数分だけ表示される。
［ステップａ５］
図８のデザイン内容確認画面２３において、デザイン２３ａ、選択画像２３ｂ、印字内容２３ｃを表示することで、デザイン注文の確認を行なう。
［ステップａ６］
図９のクレジットカード情報入力画面２４において、デザイン料金２４ａ、デザイン完成予定日２４ｂの表示で確認し、クレジットカード情報２４ｃを入力する。デザイン料金の支払いは、クレジットカードで行なうようになっている。
［ステップａ７］
図１０のはがき種類・枚数入力画面２５において、はがき種類２５ａ、枚数２５ｂを入力し、このはがき種類・枚数入力によって料金２５ｃが表示される。
［ステップａ８］
図１１のプリント注文料金確認画面２６において、プリント料金一覧２６ａを表示し、プリント注文料金を確認する。
［ステップａ９］
図１２の受取・支払い方法選択画面２７において、受取方法２７ａ、支払い方法２７ｂを選択する。受取方法２７ａには、店頭と配送があり、支払い方法２７ｂには、店舗支払いとクレジットカードがある。
［ステップａ１０］
受取方法２７ａで店頭が選択されると、図１３の店頭選択画面２８において、写真屋２８ａ、コンビニ等２８ｂから最寄りの取扱店を選択する。
［ステップａ１１］
受取方法２７ａで配送が選択されると、図１４の送付先・クレジットカード情報入力画面２９において、送付先２９ａ、クレジットカード情報２９ｂを入力する。
［ステップａ１２］
店舗選択または送付先・クレジットカード情報入力が行なわれると、図１５のプリント注文最終確認画面３０において、デザイン３０ａ、選択画像３０ｂ、印字内容３０ｃ、デザイン料金３０ｄ、デザイン完成予定日３０ｅ、プリント料金３０ｆ（受取方法、支払方法、送付先、お渡し予定日）、料金一覧３０ｇが表示され、これによりプリント注文の最終確認を行なう。
［ステップａ１３］
図１６のデザイン注文完了画面３１において、ＯＫボタン３１ａをクリックするデザイン注文番号を表示してデザイン注文が終了する。
【００３７】
次に、デザイン確認及びプリント注文のフローを図２（ｂ）に示す。
［ステップｂ１］
図１７のデザイン注文情報画面４０において、最新の完成画像４０ａ、選択されたデザインテンプレート４０ｂ、メッセージ４０ｃ、デザイン面に記載する個人情報４０ｄ、使用する画像４０ｅ等の確認を行なう。
【００３８】
このデザイン注文情報画面４０には、注文承認ボタン４０ｆ、承認ＮＧボタン４０ｇ、修正画面ボタン４０ｈが設けられている。作成されたデザインに問題がある場合には、修正画面ボタン４０ｈをクリックしてステップｂ２へ移行する。注文承認ボタン４０ｆをクリックすると、デザインが承認される。
【００３９】
承認ＮＧボタン４０ｇをクリックすると、図１８のプリント注文最終確認４１を開く。
［ステップｂ２］
修正画面ボタン４０ｈをクリックすると、図示しない修正画面が開き、デザイン修正情報を入力する。
［ステップｂ３］
図１８のプリント注文最終確認画面４１において、プリント注文情報を変更可能な注文ボタン４１ａが設けられ、この注文変更ボタン４１ａをクリックすると、図１９のはがき種類・枚数入力画面４２を開く。
［ステップｂ４］
図１９のはがき種類・枚数入力画面４２において、はがき種類４２ａと枚数４２ｂを入力して変更し、次へボタン４２ｃをクリックすると、図２０のプリント注文料金確認画面４３が開く。
［ステップｂ５］
図２０のプリント注文料金確認画面４３において、はがき種類、枚数を確認し、問題がないと次へボタン４３ａをクリックすると、図２１の受取・支払い方法選択画面４４が開く。
［ステップｂ６］
図２１の受取・支払い方法選択画面４４において、受取方法４４ａと支払い方法４４ｂの選択を行なう。
［ステップｂ７］
受取方法４４ａで店頭受取が選択されると、図１３の店頭選択画面２８が開き、写真屋またはコンビニ等の選択が行なわれる。
［ステップｂ８］
受取方法４４ａで配送が選択されると、図１４の送付先・クレジットカード情報入力画面２９が開き、送付先・クレジットカード情報を入力する。そして、次へボタン４４ｃをクリックすると、ステップｂ３へ移行し、図１８のプリント注文最終確認画面４１を開く。
［ステップｂ９］
図１８のプリント注文最終確認画面４１において、注文ボタン４１ｂをクリックするとプリント注文番号を表示してプリント注文を終了する。
【００４０】
次に、デザイン注文に基づいてデザインを作成する実施の形態を図２２乃至図２７に示す。図２２は共通画面への入力を示す図、図２３は受発注管理者端末に表示される管理の共通画面を示す図、図２４は作業者端末に表示される共通画面を示す図、図２５は受発注管理者端末に表示される校正の共通画面を示す図、図２６はユーザ端末に表示される共通画面を示す図である。
【００４１】
この実施の形態では、図２２に示すように、受発注サーバ２に、ユーザ端末３、作業者端末４、受発注管理者端末５のいずれからもアクセス可能な共通画面２００を有する。この実施の形態では、作業者端末４と受発注管理者端末５は、それぞれ別々に構成され、作業者と受発注管理者が別々に作業と受発注管理を行なうようにしているが、受発注管理者端末５で作業者端末４を構成し、受発注管理者が作業と受発注管理を行なうようにしてもよい。
【００４２】
また、受発注管理者端末５と校正者端末をそれぞれ別々に構成し、校正者が作成されたデザインの校正を行なうようにしてもよいが、受発注管理者端末５で校正者端末を構成し、受発注管理者が校正も行なうようにしてもよい。
【００４３】
このユーザ端末３からはデザイン注文画面の注文状況確認ボタン２０１から共通画面２００にアクセスされる。また、作業者端末４及び受発注管理者端末５からは検索画面２０２から共通画面２００にアクセスされる。そして、ユーザ端末３、作業者端末４及び受発注管理者端末５からＥ−メール画面２０３を開いて伝達情報を書込むことができるようになっている。
【００４４】
この共通画面２００は、受発注管理者端末５には図２３に示す管理画面及び図２５に示す校正画面に示すように表示され、作業者端末４には図２４に示すように表示され、ユーザ端末３には図２６に示すように表示される。
【００４５】
図２３に示す受発注管理者端末５に表示される共通画面２００の管理画面は、デザイン注文情報２００ａ、伝達情報２００ｂ、プリント注文情報２００ｃ、ステータス情報２００ｄ、ユーザ変更可能項目２００ｅ、修正履歴情報２００ｆを有する。修正履歴情報２００ｆに伝達情報２００ｂが記載される。
【００４６】
図２４に示す作業者端末４に表示される共通画面２００は、デザイン注文情報２００ａ、伝達情報２００ｂ、完成画像アップロード画面２００ｇ、管理者及び校正者に伝える伝達情報２００ｈ、修正履歴情報２００ｆを有する。修正履歴情報２００ｆに伝達情報２００ｂが記載される。管理者及び校正者に伝える伝達情報２００ｈは、修正履歴情報２００ｆには表示されるが、ユーザ端末３には表示されないで受発注管理者端末５及び作業者端末４に限定して表示される。
【００４７】
図２５に示す受発注管理者端末５に表示される共通画面２００の校正画面は、デザイン注文情報２００ａ、伝達情報２００ｂ、プリント注文情報２００ｃ、修正履歴情報２００ｆを有する。修正履歴情報２００ｆにユーザからの要望等の伝達情報２００ｂが記載される。
【００４８】
図２６に示すユーザ端末３に表示される共通画面２００は、デザイン注文情報２００ａ、伝達情報２００ｂ、修正履歴情報２００ｆを有する。
【００４９】
このデザイン受発注システム１のデザインの作成ステータスの一覧を図２７に示す。
デザイン注文受注１１０：
ユーザ端末３からデザイン注文情報が送信され、受発注サーバ２にデザイン注文が登録された状態であり、作業者へデザイン作業の振り分けはできない。ユーザ端末３からユーザによってアップロードされた画像の位置情報は未決定である。管理者の一覧画面へは表示される。
デザイン注文受注完了１２０：
受発注サーバ２にデザイン注文情報の登録が完了し、作業者へデザイン作業振り分けができる状態である。
デザイン制作依頼中２１０：
受発注管理者端末５から管理者は、作業者へデザイン作業振り分け後、作業者からの作業受諾の返事待ち状態である。
デザイン再依頼待機中２２０：
作業者からデザイン作成の作業の拒否をされた注文、デザイン作業の再振り分け待ち状態である。
デザイン制作中２３０：
作業者がデザインを新規作成中（１回目のデザイン作業）である。
差し戻し中（新規作成中）２３３：
新規作成中、デザインを管理者へ差し戻した状態である。例えば、写真画像のどこが、どのように不鮮明であるか等の伝達情報２００ｂを記載してデザインを管理者へ差し戻す。
デザイン修正中２５５：
また、作成されたデザインの校正、承認でＮＧとなり、デザインを修正している状態である。
差し戻し中（修正中）２３８：
作成されたデザインの校正により修正中、デザインを管理者へ差し戻した状態である。
デザイン制作・修正終了２４０：
デザイン作成、修正が完了し、校正予約ができる状態である。
校正予約中２４３：
管理者または校正者が校正を予約した状態、校正の実施が可能である。
校正保留中２４５：
校正予約をした管理者または校正者が校正作業を保留にした状態である。
校正終了２５０：
校正がＯＫとなり校正作業が完了となった状態である。ユーザへデザイン承認依頼のメ−ルは送信されていない。
デザインユーザ承認申請中２６０：
ユーザの承認待ち状態である。
デザイン完了２７０：
ユーザの承認ＯＫとなり、デザイン作業が完了した状態である。
【００５０】
このように、受発注サーバ２に、ユーザ端末３、受発注管理者端末５、作業者端末４のいずれからもアクセス可能な共通画面２００を有することで、ユーザ、受発注管理者、作業者、校正者が、場所や時間にかかわらず変化していく情報を受発注サーバ２上の共通画面２００で情報の共有化を計ることができ、デザイン作成、校正等を迅速かつ確実に行なうことができる。
【００５１】
また、校正者端末または作業者端末の少なくとも一方は、受発注管理者端末５で構成されることで、受発注管理者が校正者としての作業を行なうことができる。
【００５２】
また、共通画面２００は、少なくともデザイン注文情報２００ａと、ユーザと受発注管理者との伝達情報２００ｂとを有し、場所や時間にかかわらず変化していく情報を何時でも正確に伝えることができる。例えば、ユーザと受発注管理者との間でデザイン作成に関する連絡をしようとする場合、電話等では不在の場合には連絡がつかないことがあり、また電話やファクシミリでは、例えば写真画像がどこが、どのように不鮮明であるか、あるいは作成されたデザインの修正箇所等を正確に伝えることができなかったが、共通画面２００の少なくともデザイン注文情報２００ａと、ユーザと受発注管理者との伝達情報２００ｂとによってデザイン作成、校正等を迅速かつ確実に行なうことができる。
【００５３】
また、共通画面２００は、ユーザ端末３に表示されないで受発注管理者端末５及び作業者端末４に表示される伝達情報２００ｂを有し、ユーザには不要な情報を与えないで、受発注管理者と作業者とで連絡をとってデザイン作成、校正等を迅速かつ確実に行なうことが可能である。
【００５４】
また、共通画面２００は、作成された完成デザインを表示することで、完成デザインを視て校正等を迅速かつ確実に行なうことが可能である。
【００５５】
また、共通画面２００は、作成されたデザインに対する修正履歴情報２００ｆを有し、修正履歴情報２００ｆを基づいてデザイン作成、校正等を無駄なく迅速かつ確実に行なうことが可能である。
【産業上の利用可能性】
【００５６】
例えば写真画像を入れたポストカード等のデザインを作成するサービスをインターネットなどのネットワークを介してユーザ（顧客）に提供するデザイン受発注システムに用いることができる。
【図面の簡単な説明】
【００５７】
【図１】プリント注文システム及びプリント注文方法を示す図である。
【図２】デザイン注文のフローと、デザイン確認及びプリント注文のフローである。
【図３】年賀のカテゴリを選択したデザイン選択画面を示す図である。
【図４】選択されたデザインテンプレートを示す図である。
【図５】注文情報入力画面を示す図である。
【図６】星座と誕生日の生年月日の入力を示す図である。
【図７】画像のアップロード画面を示す図である。
【図８】デザイン内容確認画面を示す図である。
【図９】クレジットカード情報入力画面を示す図である。
【図１０】はがき種類・枚数入力画面を示す図である。
【図１１】プリント注文料金確認画面を示す図である。
【図１２】受取・支払い方法選択画面を示す図である。
【図１３】店頭選択画面を示す図である。
【図１４】送付先・クレジットカード情報入力画面を示す図である。
【図１５】プリント注文最終確認画面を示す図である。
【図１６】デザイン注文完了画面を示す図である。
【図１７】デザイン注文情報画面を示す図である。
【図１８】リント注文最終確認画面を示す図である。
【図１９】はがき種類・枚数入力画面を示す図である。
【図２０】プリント注文料金確認画面を示す図である。
【図２１】受取・支払い方法選択画面を示す図である。
【図２２】共通画面への入力を示す図である。
【図２３】受発注管理者端末に表示される管理の共通画面を示す図である。
【図２４】作業者端末に表示される共通画面を示す図である。
【図２５】受発注管理者端末に表示される校正の共通画面を示す図である。
【図２６】ユーザ端末に表示される共通画面を示す図である。
【図２７】デザイン受発注システムのデザインの作成ステータスのフローである。
【符号の説明】
【００５８】
１  ネットワーク
２  受発注サーバ
３  ユーザ端末
４  作業者端末
５  受発注管理者端末
２００  共通画面
２００ａ  デザイン注文情報
２００ｂ  伝達情報
２００ｃ  プリント注文情報
２００ｄ  ステータス情報
２００ｅ  ユーザ変更可能項目
２００ｆ  修正履歴情報
２０１  注文状況確認ボタン
２０２  検索画面
２０３  Ｅ−メール画面
【図１】
2006338060.tif 000003
【図２】
2006338060.tif 000004
【図３】
2006338060.tif 000005
【図４】
2006338060.tif 000006
【図５】
2006338060.tif 000007
【図６】
2006338060.tif 000008
【図７】
2006338060.tif 000009
【図８】
2006338060.tif 000010
【図９】
2006338060.tif 000011
【図１０】
2006338060.tif 000012
【図１１】
2006338060.tif 000013
【図１２】
2006338060.tif 000014
【図１３】
2006338060.tif 000015
【図１４】
2006338060.tif 000016
【図１５】
2006338060.tif 000017
【図１６】
2006338060.tif 000018
【図１７】
2006338060.tif 000019
【図１８】
2006338060.tif 000020
【図１９】
2006338060.tif 000021
【図２０】
2006338060.tif 000022
【図２１】
2006338060.tif 000023
【図２２】
2006338060.tif 000024
【図２３】
2006338060.tif 000025
【図２４】
2006338060.tif 000026
【図２５】
2006338060.tif 000027
【図２６】
2006338060.tif 000028
【図２７】
2006338060.tif 000029